(57)【要約】【課題】互いに通信速度が異なる複数の通信信号に対し柔軟に対応して処理することを可能にする。【解決手段】通信システムと処理すべく通信信号のシンボルクロックとを対応付けてメモリ８に登録しておき、任意の通信システムの通信信号を処理する際に、制御回路７により通信システムに対応するシンボルクロックをメモリ８から読み出し、このシンボルクロックに対応するシステムクロック及び分周率を求めて、このシステムクロックに基づきクロック発振器１０のクロック周波数を制御し、また求めた分周率に基づき分周器１１の分周率を制御するようにした。【選択図】    図１
2004260479.tif 000002
【特許請求の範囲】
【請求項１】
通信信号の通信速度情報を、予め設定された条件ごとに格納する通信速度情報格納部と、
セットされるクロック信号で動作し、前記通信信号を受信して当該クロック信号で信号処理を実行する信号処理部と、
この信号処理部の動作に必要なクロック信号を生成するクロック信号生成器と、
このクロック信号生成器で生成されるクロック信号を分周して、前記信号処理部に供給する分周器と、
要求される条件に応じて前記通信速度情報格納部から選択的に通信速度情報を読み出し、この通信速度情報に基づいて前記クロック信号生成器のクロック周波数及び前記分周器の分周率のうち少なくとも一方を制御する制御部とを具備したことを特徴とする通信装置。
【請求項２】
前記制御部は、前記条件の判断に、前記通信信号に対応する通信システム、通信路状況のうち少なくとも１つを用いることを特徴とする請求項１記載の通信装置。
【請求項３】
前記制御部は、前記クロック信号生成器のクロック周波数が最小となるように、前記分周器の分周率を制御することを特徴とする請求項１記載の通信装置。
【発明の詳細な説明】
【０００１】
【発明の属する技術分野】
この発明は、自動車等の移動体を対象とした無線通信システムに用いられ、互いに通信速度が異なる複数の通信信号を選択的に処理する通信装置に関する。
【０００２】
【従来の技術】
近年、自動車向けのサービスにあっては、ＧＰＳ（Ｇｌｏｂａｌ  Ｐｏｓｉｔｉｏｎｉｎｇ  Ｓｙｓｔｅｍ）衛星を利用したナビゲーションサービスに加え、例えばＥＴＣ（Ｅｌｅｃｔｒｏｎｉｃ  Ｔｏｌｌ  Ｃｏｌｌｅｃｔｉｏｎ）のように有料道路の料金徴収を自動化するサービスも開始されている。また、現在のＡＭ，ＦＭ放送以外に、近時、移動体向けのデジタル放送の開始も予定されている。
【０００３】
ところで、今後、多種多様なサービスが提供されることになると、各サービスを利用するためには、サービス毎の専用装置を購入し、装着しなければならず、多くの手間と費用がかかってしまうことになる。
【０００４】
また、希望するサービスの数が増えると、自動車内においてサービス数分の専用装置の設置スペースが必要となる。このため、スペース上の制約により専用装置を実装できなかったりし、ユーザの利便性に著しい不都合が生じることになる。
そこで、近時では、各放送・通信サービスに対応する複数の変復調回路を組み込むことで、任意の放送・通信サービスが受けられる通信装置が提案されている。
【０００５】
【発明が解決しようとする課題】
上記通信装置は、複数の放送・通信サービスを１台で享受できるため、スペース対効果が高いという利点がある。しかしながら、新たな通信速度が要求されるサービスの追加があった場合に、新たなサービスに対応する変復調回路及びクロック発振器を組み込まなければならず、装置構成の設計変更等が余儀なくされる。このため、回路規模、コスト及び消費電力が大幅に増大してしまうという不具合がある。
【０００６】
そこで、この発明の目的は、互いに通信速度が異なる複数の通信信号に対し柔軟に対応して処理することが可能で、しかも小型化、低コスト化及び低消費電力化を実現可能な通信装置を提供することにある。
【０００７】
【課題を解決するための手段】
この発明に係る通信装置は、上記目的を達成するために、以下のように構成される。
（１）通信信号の通信速度情報を、予め設定された条件ごとに格納する通信速度情報格納部と、セットされるクロック信号で動作し、通信信号を受信して当該クロック信号で信号処理を実行する信号処理部と、この信号処理部の動作に必要なクロック信号を生成するクロック信号生成器と、このクロック信号生成器で生成されるクロック信号を分周して、信号処理部に供給する分周器と、要求される条件に応じて通信速度情報格納部から選択的に通信速度情報を読み出し、この通信速度情報に基づいてクロック信号生成器のクロック周波数及び分周器の分周率のうち少なくとも一方を制御する制御部とを備えるようにしたものである。なお、条件の判断に、通信信号に対応する通信システム、通信路状況のうちの少なくとも１つを用いる。
【０００８】
（１）の構成では、通信システムと通信速度とを対応付けて通信速度情報格納部に登録しておくことにより、任意の通信システムの通信信号を処理する際に、処理すべき通信信号の通信速度を特定し、この通信速度に基づいてクロック信号生成器のクロック周波数及び分周器の分周率を制御する。この際、クロック周波数及び分周率を、通信速度の選定だけで各通信信号に対応するクロック信号が得られるように設定する。
【０００９】
従って、各通信速度に応じた専用の信号処理回路、クロック信号生成器及び分周器を組み込む必要がなくなるため、その分小型化及び低コスト化を図ることができ、また通信システムの切替処理に際し、制御部は通信速度情報格納部から切替先の通信システムに対応する通信速度情報を読み出し、この通信速度情報に基づいてクロック信号生成器のクロック周波数及び分周器の分周率を制御するだけであるので、様々な通信速度をもつ通信システムに対し迅速に対応することができる。また、通信路状況により通信速度を変更する適応通信装置を容易に構成することができる。
【００１０】
（２）制御部は、クロック信号生成器のクロック周波数が最小となるように、分周器の分周率を制御することを特徴とする。
（２）の構成によれば、信号処理部の消費電力、発熱を低減することができる。
【００１１】
【発明の実施の形態】
以下、この発明の実施形態について図面を参照して詳細に説明する。
図１は、この発明の一実施形態に係わる通信装置の機能構成を示すブロック図である。この通信装置には、例えばＥＴＣ用アンテナ１、ＦＭ／ＡＭラジオ用アンテナ２及びＧＰＳ用アンテナ３を備えている。
【００１２】
外部から到来した無線周波信号は、ＥＴＣ用アンテナ１、ＦＭ／ＡＭラジオ用アンテナ２及びＧＰＳ用アンテナ３のうち少なくとも１つで受信されたのち、無線回路４により中間周波信号あるいはベースバンド信号に周波数変換される。
【００１３】
上記受信中間周波信号またはベースバンド信号は、Ａ／Ｄ（アナログ／デジタル）変換回路５でデジタル信号に変換された後、信号処理回路６に入力される。信号処理回路６は、制御回路７による制御に基づき、入力された受信中間周波信号またはベースバンド信号を処理する。このとき、信号処理回路６には、動作に必要なクロック信号がクロック発振器１０から分周器１１を介して与えられる。
【００１４】
制御回路７は、メモリ８に格納されたプログラムに基づいて通信装置全体の統括制御機能を実行するもので、その制御機能として、発着信に応じて無線接続制御を実行して、データ通信を可能にする通信制御機能や、システム選択制御機能、位置登録制御機能等を有している。
【００１５】
一方、データ送信時に、信号処理回路６は、送信すべきデジタルデータをＡ／Ｄ変換回路５に供給する。Ａ／Ｄ変換回路６は、デジタルデータを送信信号に変換し、この送信信号を無線回路４へ出力する。
【００１６】
無線回路４は、入力された送信信号を無線周波信号に変換する。そして、無線回路４は、制御回路７により通知される送信データレートに基づいて、上記無線周波信号の有効部分だけを高周波増幅し、送信無線周波信号として出力する。この無線回路４から出力された送信無線周波信号は、ＥＴＣ用アンテナ１を介して送信される。
【００１７】
操作部９には、ダイヤルキーや電源キー、終了キー、音量調節キー、モード指定キー等のキー群が設けられている。
【００１８】
ところで、この実施形態では、メモリ８に取り扱う通信信号の通信速度相当のシンボルクロック（ＭＨｚ）を、その通信システムごとに対応付けて記憶している。すなわち、ＥＴＣ信号ならばＥＴＣの識別情報に対応付けて記憶し、ＧＰＳ信号ならばＧＰＳの識別情報に対応付けて記憶している。
【００１９】
そして、制御回路７は、例えば操作部９からのユーザによる指定操作により要求される通信システムに応じて、メモリ８から対応するシンボルクロック情報を読み出し、図２に示す特性からシンボルクロック情報に対応するシステムクロック及び分周率を求めて、このシステムクロックになるようにクロック発振器１０のクロック周波数を制御し、該分周率となるように分周器１１の分周率を制御する。すると、信号処理回路６には、処理すべく受信中間周波信号またはベースバンド信号のシンボルクロックに一致したクロック信号が供給されることになる。
【００２０】
ここで、制御回路７は、例えばシンボルクロック「２ＭＨｚ」に対応するクロック信号を発生させる場合に、システムクロックが最小となるように分周率「１／９」を求めるようにしている。
【００２１】
上記構成において、以下にその処理動作を説明する。
すなわち、制御回路７は図３に示すような制御処理を実行する。この制御処理を開始すると制御回路７はまず、通信システムの切替要求が発生したか否かの判断を行う（ステップＳＴ３ａ）。ここで、切替要求が発生しなければ、処理を終了して実行中の処理をそのまま実行する。
【００２２】
一方、切替要求が発生したならば（Ｙｅｓ）、制御回路７は切替先の通信システムに対応するシンボルクロックをメモリ８から読み出し（ステップＳＴ３ｂ）、このシンボルクロックに対応するシステムクロック及び分周率を演算する（ステップＳＴ３ｃ）。ここでは、複数パターンのシステムクロック及び分周率を求めておくようにする。
【００２３】
続いて制御回路７は、求めたシステムクロックがｋ範囲内であるか否かの判断を行い（ステップＳＴ３ｄ）、ｋ範囲外であるならば（Ｎｏ）、次候補の分周率を選択し（ステップＳＴ３ｅ）、システムクロックが再度ｋ範囲内であるか否かの判断を行う。なお、ｋについては、信号処理回路６が発熱を起こさない最小の範囲に設定される。
【００２４】
これに対し、システムクロックがｋ範囲内であるならば（Ｙｅｓ）、制御回路７は求めたシステムクロックとなるようにクロック発振器１０のクロック周波数を制御し、また求めた分周率となるように分周器１１の分周率を制御する（ステップＳＴ３ｆ）。
【００２５】
以上述べたように上記実施形態では、通信システムと処理すべく通信信号のシンボルクロックとを対応付けてメモリ８に登録しておき、任意の通信システムの通信信号を処理する際に、制御回路７により通信システムに対応するシンボルクロックをメモリ８から読み出し、このシンボルクロックに対応するシステムクロック及び分周率を求めて、このシステムクロックに基づきクロック発振器１０のクロック周波数を制御し、また求めた分周率に基づき分周器１１の分周率を制御する。この際、制御回路７が使用するプログラム上で、求めるべくシステムクロック及び分周率を、通信速度、つまりシンボルクロックの選定だけで各通信信号に対応するクロック信号が得られるように設定する。
【００２６】
従って、各通信速度に応じた専用の信号処理回路、クロック発振器及び分周器を組み込む必要がなくなるため、その分小型化及び低コスト化を図ることができ、また通信システムの切替処理に際し、制御回路７はメモリ８から切替先の通信システムに対応するシンボルクロックを読み出し、このシンボルクロックに基づいてクロック発振器１０のクロック周波数及び分周器１１の分周率を制御するだけであるので、様々な通信速度をもつ通信システムに対し迅速に対応することができる。
【００２７】
また、上記実施形態では、制御回路７において、クロック発振器１０で発生されるクロック信号の周波数が最小となるように、分周器１１の分周率を制御するようにしたので、信号処理回路６の消費電力、発熱を低減することができる。
【００２８】
さらに、将来、新たな通信速度を要求する通信システムが出現したとしても、その新たな通信システムとシンボルクロックとを対応付けてメモリ８に登録するだけで容易に対応可能となる。
【００２９】
なお、この発明は上記実施形態の範囲に限定されるものではない。例えば、上記実施形態では、メモリ８中に要求される通信システムに対応付けて、シンボルクロックを記憶する例について説明した。しかしこれに限ることなく、例えば電波レベル、通信トラフィック等の条件に対応付けて、シンボルクロックを登録しておくようにしてもよい。このようにすれば、通信路状況により最適なシステムクロックに変更することができ、処理すべく通信信号に雑音等が発生しても信号品質を向上させることができる。
【００３０】
その他、通信装置の構成や種類、クロック発振器及び分周器の種類、処理すべく通信信号の種類、クロック発振器及び分周器に対する制御手順及び制御内容等についても、この発明の要旨を逸脱しない範囲で種々変形して実施できる。
【００３１】
【発明の効果】
以上詳述したようにこの発明によれば、互いに通信速度が異なる複数の通信信号に対し柔軟に対応して処理することが可能で、しかも小型化、低コスト化及び低消費電力化を実現可能な通信装置を提供することができる。
【図面の簡単な説明】
【図１】この発明の一実施形態に係わる通信装置の構成を示すブロック図。
【図２】この実施形態で取り扱う通信信号のシンボルクロックとシステムクロック及び分周率との対応関係を説明するための信号特性図。
【図３】図１に示した制御回路の制御手順及び制御内容を示すフローチャート。
【符号の説明】
１…ＥＴＣ用アンテナ、
２…ＦＭ／ＡＭラジオ用アンテナ、
３…ＧＰＳ用アンテナ、
４…無線回路、
５…Ａ／Ｄ（アナログ／デジタル）変換回路、
６…信号処理回路、
７…制御回路、
８…メモリ、
９…操作部、
１０…クロック発振器、
１１…分周器。
【図１】
2004260479.tif 000003
【図２】
2004260479.tif 000004
【図３】
2004260479.tif 000005